(57)【要約】【課題】一方の樹脂部品の強度と剛性の不足を他方の樹脂部品によって補うことによって、一方の樹脂部品の強度不足と変形を防ぐことができる車両用灯具における樹脂部品の固定構造を提供すること。【解決手段】中央部に形成された開口部１Ａの周囲の一部に切欠き部１Ｂが形成されたエクステンション（第１の樹脂部品）１と、該エクステンション１を覆うインナレンズ（第２の樹脂部品）２との固定構造として、前記エクステンション１の切欠き部１Ｂの相対向する両端部と前記インナレンズ２とを固定手段（熱加締め又はネジ固定）ａによって固定する構成を採用する。又、前記エクステンション１の切欠き部１Ｂの両端部と前記インナレンズ２との固定部に、位置決め手段ｂを斜めに対向するよう配置する。【選択図】図２
2019053866.tif 000002
【特許請求の範囲】
【請求項１】
中央部に形成された開口部の周囲の一部に切欠き部が形成された第１の樹脂部品と、該第１の樹脂部品を覆う第２の樹脂部品との固定構造であって、
前記第１の樹脂部品の切欠き部の相対向する両端部と前記第２の樹脂部品とを熱加締め又はネジ固定による固定手段によって固定したことを特徴とする車両用灯具における樹脂部品の固定構造。
【請求項２】
前記固定手段は、前記第１の樹脂部品の切欠き部の両端部において形成される上下が互いに逆の直角三角形の頂点の３箇所にそれぞれ配置されていることを特徴とする請求項１記載の車両用灯具における樹脂部品の固定構造。
【請求項３】
前記第１の樹脂部品の切欠き部の両端部と前記第２の樹脂部品との固定部に、位置決め手段を斜めに対向するよう配置したことを特徴とする請求項１又は２記載の車両用灯具における樹脂部品の固定構造。
【発明の詳細な説明】
【技術分野】
【０００１】
本発明は、車両用灯具に備えられたエクステンションやインナレンズ等の樹脂部品同士の固定構造に関するものである。
【背景技術】
【０００２】
例えば、車両の前部左右に配置されるヘッドランプ等の車両用灯具には、ハウジングとその開口部を覆うアウタレンズによって画成された灯室内に、光源やエクステンション、インナレンズ等の樹脂部品を収容して構成されるものがある（例えば、特許文献１参照）。ここで、斯かる車両用灯具に備えられるエクステンションの一例を図５に示す。
【０００３】
即ち、図５はエクステンションの一例を示す背面図であり、図示のエクステンション１０１は、不透明樹脂によって横台形状に一体成形されており、その中央部には横方向に細長い横台形状の開口部１０１Ａが形成されている。そして、このエクステンション１０１の開口部１０１Ａの周囲の一部（幅方向上部）には、一部（上方）が開放された略矩形の切欠き部１０１Ｂが形成されている。
【先行技術文献】
【特許文献】
【０００４】
【特許文献１】特開２０１５−０３８８９３号公報
【発明の概要】
【発明が解決しようとする課題】
【０００５】
ところで、図５に示すエクステンション１０１にあっては、開口部１０１Ａの周囲の一部に切欠き部１０１Ｂが形成されているため、この切欠き部１０１Ｂが形成された部位の強度と剛性が他の部位よりも低くなる。このため、エクステンション１０１に外力が加わった場合には、強度不足や変形の問題が発生し、該エクステンション１０１の他部品への組み付けに支障が生じたり、意匠面のバラツキが発生して商品性が低下する。このような問題を解決するには、図５に鎖線にて示すように、エクステンション１０１の切欠き部１０１Ｂの開放されている上側部分に補強部材１０６を架け渡せば良いが、意匠レイアウトの観点からこのような構成を採用することは不可能である。
【０００６】
本発明は上記問題に鑑みてなされたもので、その目的とする処は、一方の樹脂部品の強度と剛性の不足を他方の樹脂部品によって補うことによって、一方の樹脂部品の強度不足と変形を防ぐことができる車両用灯具における樹脂部品の固定構造を提供することにある。
【課題を解決するための手段】
【０００７】
上記目的を達成するため、請求項１記載の発明は、中央部に形成された開口部の周囲の一部に切欠き部が形成された第１の樹脂部品と、該第１の樹脂部品を覆う第２の樹脂部品との固定構造であって、前記第１の樹脂部品の切欠き部の相対向する両端部と前記第２の樹脂部品とを熱加締め又はネジ固定による固定手段によって固定したことを特徴とする。
【０００８】
請求項２記載の発明は、請求項１記載の発明において、前記固定手段は、前記第１の樹脂部品の切欠き部の両端部において形成される上下が互いに逆の直角三角形の頂点の３箇所にそれぞれ配置されていることを特徴とする。
【０００９】
請求項３記載の発明は、請求項１又は２記載の発明において、前記第１の樹脂部品の切欠き部の両端部と前記第２の樹脂部品との固定部に、位置決め手段を斜めに対向するよう配置したことを特徴とする。
【発明の効果】
【００１０】
請求項１記載の発明によれば、第１の樹脂部品の切欠き部が形成された部位の強度と剛性は、他の部位よりも低いが、この切欠き部の相対向する両端部と第２の樹脂部品とが固定手段によって固定されるため、第１の樹脂部品の切欠き部が形成された部位の強度と剛性の不足が第２の樹脂部品によって補われる。このため、第１の樹脂部品の切欠き部が形成された部位の強度と剛性が第２の樹脂部品によって高められ、該第１の樹脂部品の強度不足と変形が防がれ、第１の樹脂部品の商品性が高められる。
【００１１】
請求項２記載の発明によれば、第１の樹脂部品の切欠き部の両端部において形成される上下が互いに逆の直角三角形の頂点の３箇所に固定手段がそれぞれ配置されるため、第１の樹脂部品に上方及び下方から加わる外力の双方に対する該第１の樹脂部品の強度不足と変形を防ぐことができる。
【００１２】
請求項３記載の発明によれば、位置決め手段を第１の樹脂部品の切欠き部の両端部と第２の樹脂部品との固定部に斜めに対向するよう配置したため、互いに固定される第１の樹脂部品と第２の樹脂部品を高精度に位置決めすることができる。
【図面の簡単な説明】
【００１３】
【図１】車両用灯具のエクステンションの背面側斜視図である。
【図２】本発明に係る固定構造によって固定されたエクステンションとインナレンズの背面側斜視図である。
【図３】図２のＡ部拡大詳細図である。
【図４】本発明に係る固定構造の別形態を示すエクステンションの背面側斜視図である。
【図５】エクステンションの一例を示す背面側斜視図である。
【発明を実施するための形態】
【００１４】
以下に本発明の実施の形態を添付図面に基づいて説明する。
【００１５】
図１は車両用灯具のエクステンションの背面側斜視図、図２は本発明に係る固定構造によって固定されたエクステンションとインナレンズの背面図、図３は図２のＡ部拡大詳細図であり、ヘッドランプ等の不図示の車両用灯具は、ハウジングとその開口部を覆うアウタレンズによって画成された灯室（何れも不図示）内に、第１の樹脂部品であるエクステンション１と第２の樹脂部品であるインナレンズ２を不図示の光源やリフレクタ等と共に収容して構成されている。
【００１６】
上記エクステンション１は、不透明樹脂によって横台形状に一体成形されており、図１に示すように、外周の４箇所にはネジボス３が一体に突設されている。そして、このエクステンション１は、４つの前記ネジボス３に図１の裏面側からそれぞれねじ込まれる計４本の不図示のネジによって不図示のハウジングに固定される。
【００１７】
又、エクステンション１の中央部には、横方向に細長い横台形状の開口部１Ａが形成されている。そして、このエクステンション１の開口部１Ａの周囲の一部（幅方向上部）には、一部（上方）が開放された略矩形の切欠き部１Ｂが形成されている。このように、エクステンション１にあっては、開口部１Ａの周囲の一部に切欠き部１Ｂが形成されているため、この切欠き部１Ｂが形成された部位の強度と剛性は他の部位よりも低くなる。
【００１８】
前記インナレンズ２は、エクステンション１を覆う部品であって、アクリルやポリカーボネイト等の透明樹脂によって一体成形されている。そして、このインナレンズ２は、図２及び図３に示すように、エクステンション１の切欠き部１Ｂの相対向する両端部に熱加締めによる固定手段ａによって固定されている。
【００１９】
具体的には、図１に示すように、エクステンション１の切欠き部１Ｂの左右両端部には、上下が互いに逆の直角三角形の頂点の３箇所に熱加締めピン４がそれぞれ一体に突設されるとともに、各１つの位置決めピン５が斜めに対向するように配置されて突設されている。
【００２０】
而して、エクステンション１の切欠き部１Ｂの左右両端部にそれぞれ突設された各３つの熱加締めピン４を、インナレンズ２の各熱加締めピン４に対応する箇所に形成された円孔状の不図示の係合孔に通し、その先端を熱溶着させることによって、図２及び図３に示すように、インナレンズ２がエクステンション１の切欠き部１Ｂの相対向する両端部に熱加締めによる固定手段ａによって固定される。
【００２１】
又、エクステンション１の切欠き部１Ｂの左右両端部に突設された各１つの位置決めピン５と、インナレンズ２の各位置決めピン５に対応する箇所に形成された不図示の位置決め孔とは、図２及び図３に示す位置決め手段ｂを構成しており、各位置決め手段ｂにおいて、エクステンション１側の位置決めピン５がインナレンズ２側の不図示の位置決め孔に係合することによって、固定に際してエクステンション１とインナレンズ２とが高精度に位置決めされる。
【００２２】
以上のように、本実施の形態では、エクステンション１の単体では、切欠き部１Ｂが形成された部位の強度と剛性が他の部位よりも低いが、この切欠き部１Ｂの相対向する両端部とインナレンズ２とが熱加締めによる固定手段ａによって固定されるため、エクステンション１の切欠き部１Ｂが形成された部位の強度と剛性の不足がインナレンズ２によって補われる。このため、エクステンション１の切欠き部１Ｂが形成された部位の強度と剛性がインナレンズ２によって高められ、該エクステンション１の強度不足と変形が防がれ、当該エクステンション１の商品性が高められる。
【００２３】
そして、本実施の形態では、図３に詳細に示すように、エクステンション１の切欠き部１Ｂの両端部において形成される上下が互いに逆の直角三角形の頂点の３箇所に固定手段ａをそれぞれ配置したため、エクステンション１に上方及び下方から加わる外力の双方に対する該エクステンション１の強度不足と変形が防がれる。
【００２４】
ここで、本発明の別形態を図４に示す。
【００２５】
即ち、図４は本発明の別形態を示すエクステンションの背面側斜視図であり、同図に示すように、エクステンション１の切欠き部１Ｂの左右において開口部１Ａを縦に横切る補強部材６を熱加締めによる各３つの固定手段ａによってエクステンション１に固定すれば、エクステンション１の切欠き部１Ｂが形成された部位の強度と剛性を２つの補強部材６によって高めることができる。尚、この場合も、２つの補強部材６とエクステンション１とは、斜めに対向するように配置された位置決め手段ｂによって高精度に位置決めされる。
【００２６】
ところで、以上の実施の形態では、固定手段として熱加締めを用いたが、熱加締めに代えてネジ固定を採用しても良い。
【００２７】
又、以上の実施の形態では、第１の樹脂部品としてエクステンション、第２の樹脂部品としてインナレンズを用いた例について説明したが、本発明は、エクステンションやインナレンズ以外の例えばリフレクタ等の樹脂部品の固定構造に対しても同様に適用可能であることは勿論である。
【符号の説明】
【００２８】
１      エクステンション（第１の樹脂部品）
１Ａ    エクステンションの開口部
１Ｂ    エクステンションの切欠き部
２      インナレンズ（第２の樹脂部品）
３      ネジボス
４      熱加締めピン
５      位置決めピン
６      補強部材
ａ      固定手段
ｂ      位置決め手段
【図１】
2019053866.tif 000003
【図２】
2019053866.tif 000004
【図３】
2019053866.tif 000005
【図４】
2019053866.tif 000006
【図５】
2019053866.tif 000007